(57)【要約】【課題】軽量化を実現することができる宅配ボックスを提供する。【解決手段】実施形態の一例である宅配ボックス１００は、組み立て状態から折り畳み状態に可変な宅配ボックス１００であって、前面が開口される箱形状の本体１０と、折り畳み状態では本体１０の前面を覆うと共に組み立て状態では上方に開かれる天板２０と、折り畳み状態では本体１０の前面を覆うと共に組み立て状態では下方に開かれる底板３０と、組み立て状態では天板２０の縁部に沿って設けられた天板レール２１と底板３０の縁部に沿って設けられた底板レール３１とに案内されて本体１０の前方を覆うと共に折り畳み状態では本体１０に収納されるシャッタ４０と、組み立て状態では本体１０に対し底板３０を略水平に保持するアーム５０と、組み立て状態ではシャッタ４０を施錠する施錠装置６０と、を備える。【選択図】図１
2020192116.tif 000002
【特許請求の範囲】
【請求項１】
組み立て状態から折り畳み状態に可変な宅配ボックスであって、
前面が開口される箱形状の本体と、
前記折り畳み状態では前記本体の前面を覆うと共に前記組み立て状態では上方に開かれる天板と、
前記折り畳み状態では前記本体の前面を覆うと共に前記組み立て状態では下方に開かれる底板と、
前記組み立て状態では前記天板の縁部に沿って設けられた第１レールと前記底板の縁部に沿って設けられた第２レールとに案内されて前記本体の前方を覆うと共に前記折り畳み状態では前記本体に収納されるシャッタと、
前記組み立て状態では前記本体に対し前記底板を略水平に保持するアームと、
前記組み立て状態では前記シャッタを施錠する施錠機構と、
を備える、宅配ボックス。
【請求項２】
前記天板は、前記組み立て状態では前記天板を略水平に保持する保持機構を有する、請求項１に記載の宅配ボックス。
【請求項３】
前記アームは、前記底板の開閉速度を調整する減速機構を備える、請求項１または２に記載の宅配ボックス。
【発明の詳細な説明】
【技術分野】
【０００１】
本開示は、宅配ボックスに関する。
【背景技術】
【０００２】
宅配ボックスは、公知である。例えば、特許文献１には、可変式の宅配ボックスが開示される。可変式の宅配ボックスは、宅配業者によって宅配物が預けられるまではコンパクトな折り畳み状態とされる。また、可変式の宅配ボックスは、宅配業者によって宅配物が預けられてからは組み立て状態とされ、預けられた宅配物を収納する。
【先行技術文献】
【特許文献】
【０００３】
【特許文献１】特表２０１８−５２５０３８号公報
【発明の概要】
【発明が解決しようとする課題】
【０００４】
可変式の宅配ボックスは、組み立て状態では宅配物を収納するため、所定の大きさが必要となる。その一方で、可変式の宅配ボックスは、一戸建て住宅の玄関先または庭先において壁面に設置される場合もあるため、できる限り軽量化されることが望まれる。
【０００５】
本開示の目的は、軽量化を実現することができる宅配ボックスを提供することである。
【課題を解決するための手段】
【０００６】
本開示の一態様である宅配ボックスは、組み立て状態から折り畳み状態に可変な宅配ボックスであって、前面が開口される箱形状の本体と、折り畳み状態では本体の前面を覆うと共に組み立て状態では上方に開かれる天板と、折り畳み状態では本体の前面を覆うと共に組み立て状態では下方に開かれる底板と、組み立て状態では天板の縁部に沿って設けられた第１レールと底板の縁部に沿って設けられた第２レールとに案内されて本体の前方を覆うと共に折り畳み状態では本体に収納されるシャッタと、組み立て状態では本体に対し底板を略水平に保持するアームと、組み立て状態ではシャッタを施錠する施錠機構と、を備える。
【発明の効果】
【０００７】
本開示の一態様によれば、組み立て状態の前面および両側面の前側をシャッタで構成するため軽量化を実現することができる宅配ボックスを提供できる。
【図面の簡単な説明】
【０００８】
【図１】組み立て状態の宅配ボックスの構成を示す斜視図である。
【図２】折り畳み状態の宅配ボックスの構成を示す斜視図である。
【図３】保持機構の構成を示す平面図である。
【図４】アーム機構の構成を示す斜視図である。
【図５】シャッタの構成を示す斜視図である。
【図６】シャッタの構成を示す断面図である。
【図７】天板の第１レールの構成を示す斜視図である。
【図８】底板の第２レールの構成を示す斜視図である。
【図９】施錠装置の構成を示す斜視図である。
【図１０】シャッタを施錠するときの動作を示す模式図である。
【図１１】宅配ボックスを組み立てるときの動作を示す模式図である。
【図１２】宅配ボックスを折り畳むときの動作を示す模式図である。
【図１３】別実施形態のシャッタを示す模式図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の宅配ボックスはこれに限定されない。
【００１０】
以下、図面を用いて本開示の実施形態を説明する。以下で説明する形状、材料及び個数は、説明のための例示であって、宅配ボックスの仕様に応じて適宜変更することができる。以下ではすべての図面において同等の要素には同一の符号を付して説明する。また、本文中の説明においては、必要に応じてそれ以前に述べた符号を用いるものとする。
【００１１】
以下では、宅配ボックスにおいて本体が設けられる側を奥行き方向の後側とする。水平面において奥行き方向と直交する方向を幅方向とする。宅配ボックスの前側に向かって右側を幅方向の右側とする。幅方向と奥行き方向とに直交する鉛直方向を上下方向とする。また、シャッタが引き出されるときのシャッタの先端側を引き出し方向の先端側とする。シャッタが引き出されるときの宅配ボックスの内側をシャッタの内側とする。
【００１２】
図１および図２を用いて、宅配ボックス１００の構成について説明する。図１は、組み立て状態の宅配ボックス１００の構成を示す斜視図である。図２は、折り畳み状態の宅配ボックス１００の構成を表す斜視図である。
【００１３】
宅配ボックス１００は、組み立て状態から折り畳み状態に可変である。宅配ボックス１００は、一戸建て住宅の玄関脇の壁面に設置されるが、これに限定されない。宅配ボックス１００は、例えば集合住宅等に設置されても良い。また、宅配ボックス１００は、例えば玄関脇の床面等に設置されても良い。
【００１４】
宅配ボックス１００は、宅配業者によって宅配物が預けられるまでは、折り畳まれた状態（折り畳み状態）となる。また、宅配ボックス１００は、宅配業者によって宅配物が預けられてからは、組み立てられた状態（組み立て状態）となる。宅配ボックス１００は、本体１０と、天板２０と、底板３０と、シャッタ４０と、一対のアーム機構５０と、施錠装置６０（図９または図１０参照）と、を備える。
【００１５】
本体１０は、前面が開口された箱状に構成される。本体１０は、例えば樹脂等で形成される。本体１０は、天板部１０Ａと、底板部１０Ｂ（図４参照）と、左側板部１０Ｃ、右側板部１０Ｄと、裏板と、を含む。
【００１６】
天板２０は、平面視にて例えば長方形状等に形成される。天板２０は、例えば樹脂等で形成される。天板２０の基端側は、本体１０の天板部１０Ａにヒンジ固定されている。ここで、天板２０の基端側とは、組み立て状態の天板２０の後端側であって、折り畳み状態の天板２０の上端側である。天板２０は、組み立て状態では、保持機構２５によって略水平方向に保持される。保持機構２５の詳細は、後述する。
【００１７】
天板２０は、折り畳み状態では、本体１０の前面の上側の略半分を覆う。折り畳み状態では、天板２０に設けられた一対のマグネットと、本体１０の左側板部１０Ｃと右側板部１０Ｄとのそれぞれに設けられたマグネットとが磁着することによって天板２０が本体１０に固定される。
【００１８】
底板３０は、平面視にて例えば長方形状等に形成される。底板３０は、例えば樹脂等で形成される。底板３０の基端側は、本体１０の底板部１０Ｂにヒンジ固定されている。ここで、底板３０の基端側とは、組み立て状態の底板３０の後端側であって、折り畳み状態の底板３０の下端側である。底板３０は、組み立て状態では、アームとしての一対のアーム機構５０，５０によって略水平方向に保持される。アーム機構５０の詳細は、後述する。
【００１９】
底板３０は、折り畳み状態では、本体１０の前面の下側の略半分を覆う。折り畳み状態では、底板３０に設けられた一対のマグネットと、本体１０の左側板部１０Ｃと右側板部１０Ｄとのそれぞれに設けられたマグネットとが磁着することによって底板３０が本体１０に固定される。
【００２０】
シャッタ４０は、組み立て状態では、宅配ボックス１００の前面および両側面の前側を覆う。具体的には、シャッタ４０は、組み立て状態の宅配ボックス１００において、本体１０の前方、天板２０の下方および底板３０の上方からなる空間を覆う。このとき、シャッタ４０は、天板２０の縁部に沿って設けられた第１のレールとしての天板レール２１（図７参照）と底板３０の縁部に沿って設けられた第２のレールとしての底板レール３１（図８参照）とに案内される。シャッタ４０は、宅配ボックス１００が折り畳み状態では、本体１０に収納される。施錠装置６０の詳細は、後述する。
【００２１】
図３を用いて、保持機構２５の構成について説明する。図３は、保持機構２５の構成を示す平面図である。図３では、宅配ボックス１００を組み立て状態としたときの平面図を示す。
【００２２】
保持機構２５は、一対のピン部２９Ａ，２９Ａを本体１０の左側板部１０Ｃと右側板部１０Ｄとに形成されたそれぞれの孔部（図示なし）に嵌めることによって、天板２０を略水平状態に保持する機構である。以下では、宅配ボックス１００の組み立て状態を説明する。保持機構２５は、天板２０の上面に設けられる。なお、例えばカバーを保持機構２５の上面に設けることによって、保持機構２５を外部から見えないようにしてもよい。
【００２３】
保持機構２５は、把持部２６と、一対のアーム２７，２７と、一対の回動部２８，２８と、一対のアーム２９，２９と、を有する。把持部２６は、奥行き方向の前端側であって幅方向の略中央部に設けられる。把持部２６は、固定部２６Ａと、可動部２６Ｂと、を含む。固定部２６Ａは、天板２０に固定され、可動部２６Ｂは、一対のアーム２７，２７の前端側に固定され、奥行き方向に移動可能に構成される。可動部２６Ｂは、弾性部材（図示なし）によって後向きに付勢されている。アーム２７は、棒状に構成される。アーム２７は、幅方向の略中央部において奥行き方向に沿って配置される。一対のアーム２７，２７のそれぞれの後端側には、一対の回動部２８，２８のそれぞれの前端側かつ内端側が回動自在に接続される。
【００２４】
回動部２８は、平面視において略Ｌ字形状に構成される。回動部２８は、回動支点２８Ａを含む。回動支点２８Ａは、天板２０に支持され、略Ｌ字形状の回動部２８の角部に設けられる。回動部２８は、回動支点２８Ａを中心として回動自在に構成される。一対の回動部２８，２８のそれぞれの後端側には、一対のアーム２９，２９のそれぞれの内端側が回動自在に接続される。一対のアーム２９，２９は、奥行き方向の後端側において、左側と右側とにそれぞれが配置される。アーム２９の外端側には、ピン部２９Ａが設けられる。
【００２５】
保持機構２５の動作について説明する。把持部２６を把持することによって、可動部２６Ｂおよび一対のアーム２７，２７が可動部２６Ｂの付勢力に逆らって前側に移動する。これにより、一対の回動部２８，２８のそれぞれの前端側かつ内端側が前側に移動し、一対の回動部２８，２８がそれぞれの回動支点２８Ａを中心として回動し、一対の回動部２８，２８のそれぞれの外端側が内側に移動する。これにより、一対のアーム２９，２９のそれぞれが内側に移動し、それに伴い一対のピン部２９Ａ，２９Ａが内側に移動する。また、把持部２６を解放することによって、一対のピン部２９Ａ，２９Ａが外側に移動する。
【００２６】
保持機構２５の効果について説明する。保持機構２５によれば、組み立て状態の宅配ボックス１００において、一対のピン部２９Ａ，２９Ａが、本体１０の左側板部１０Ｃと右側板部１０Ｄとに形成されたそれぞれの孔部に嵌ることによって、天板２０を略水平状態に保持することができる。また、把持部２６を把持することによって、一対のピン部２９Ａ，２９Ａが内側に移動して孔部から抜け、天板２０の略水平状態を解除することができる。
【００２７】
図４を用いて、アーム機構５０の構成について説明する。図４は、アーム機構５０の構成を示す斜視図である。図４は、シャッタ４０が引き出される前の組み立て状態の宅配ボックス１００を示す。
【００２８】
底板３０は、本体１０の底板部１０Ｂと一対のヒンジ部材１３，１３によって取り付けられる。一対のアーム機構５０，５０は、上述したように、本体１０に対し底板３０を略水平方向に保持する。アーム機構５０は、ロッド５１と、減速機構５２と、支持部５３と、を有する。以下では、底板３０が略水平方向であるとして説明する。
【００２９】
ロッド５１の前端側は、支持部５３に回動自在に接続される。支持部５３は、底板３０の幅方向の外端部であって、奥行き方向の後寄りに設けられる。ロッド５１の後端側は、減速機構５２に回動自在に支持される。また、ロッド５１は、減速機構５２に対し摺動可能となるように減速機構５２に支持される。減速機構５２は、ロッド５１に対して例えばネジ等の先端部を当接した状態からネジを締め付けることによってロッド５１が減速機構５２を摺動するときの摩擦抵抗を増加させる。
【００３０】
アーム５０の効果について説明する。アーム５０によれば、ロッド５１の摺動時においてロッド５１に摩擦抵抗を増加させることによって、底板３０の開閉時に開閉速度を減速することができる。これにより、底板３０が重力によって急に下方に開くことを防止することができる。なお、変形例として、減速機構５２にダンパー等を用いても良い。
【００３１】
図５乃至図８を用いて、シャッタ４０の構成について説明する。図５は、シャッタ４０の構成を示す斜視図である。図５は、シャッタ４０が引き出されるときの組み立て状態の宅配ボックス１００を示す。図６は、図５におけるＡＡ断面図である。図７は、天板２０の天板レール２１を上方から見た斜視図である。図７では、説明を分かり易くするため、その他の部材の記載を省略している。図８は、底板３０の底板レール３１を上方から見た斜視図である。図８では、説明を分かり易くするため、シャッタ４０の一部のみを記載している。
【００３２】
図５に示すように、本体１０の天板部１０Ａには、上本体レール１１が形成される。本体１０の底板部１０Ｂには、下本体レール１２が形成される。上本体レール１１は、天板部１０Ａの縁部を略１周半するように長円状に形成される。下本体レール１２も同様に底板部１０Ｂの縁部を略１周半するように長円状に形成される。
【００３３】
宅配ボックス１００が組み立て状態のときは、天板２０の下面には、天板レール２１が形成される。天板レール２１は、天板２０の縁部に沿って略Ｕ字形状に形成される。同様に、宅配ボックス１００が組み立て状態のときは、底板３０の上面には、底板レール３１が形成される。底板レール３１は、底板３０の縁部に沿って略Ｕ字形状に形成される。
【００３４】
宅配ボックス１００が組み立て状態のときは、天板部１０Ａに形成された上本体レール１１と天板レール２１とが天板２０の左端部において連通する。同様に、宅配ボックス１００が組み立て状態のときは、底板部１０Ｂに形成された下本体レール１２と底板レール３１とが底板３０の左端部において連通する。
【００３５】
シャッタ４０は、本体４１と、補強部４２と、を有する。補強部４２は、シャッタ４０の引き出し方向に沿って所定間隔に設けられる。補強部４２は、例えばアルミ等で形成される。
【００３６】
図６に示すように、本体４１は、複数のベース部材４５から構成される。ベース部材４５は、例えば樹脂等で形成される。ベース部材４５は、上下方向に沿って長尺状に形成される。ベース部材４５の引き出し方向の前側には、内側に向かって凸部が形成される。ベース部材４５の引き出し方向の後側には、内側に向かって凹部が形成される。ベース部材４５は、隣接するベース部材４５とヒンジ部４５Ａによって接続される。ヒンジ部４５Ａは、ベース部材４５の凹部に隣接するベース部材４５の凸部を嵌合させることによって構成される。これにより、本体４１は、引き出し方向の内側にのみ曲がることができる。宅配ボックス１００では、シャッタ４０の内側が宅配ボックス１００の内側を向くように、シャッタ４０が設けられる。
【００３７】
図７に示すように、シャッタ４０の上端部には、複数（図７では一つ）のローラ４６が設けられる。ローラ４６は、例えば略円盤状に形成される。ローラ４６は、例えば補強部４２の上端部に設けられる。ローラ４６は、シャッタ４０（補強部４２）に対し上下方向を軸として回転可能に構成される。
【００３８】
天板２０には、上述したように天板レール２１が形成される。天板レール２１は、ローラ４６が通過するローラ通過部２１Ａと、シャッタ４０の上端部が通過するシャッタ通過部２１Ｂと、を含む。ローラ通過部２１Ａとシャッタ通過部２１Ｂとは連通している。ローラ通過部２１Ａの幅は、ローラ４６の直径よりも若干大きく形成される。シャッタ通過部２１Ｂの幅は、シャッタ４０の上端部の幅よりも若干大きく形成される。ここで「幅」とは、水平面においてシャッタ４０の引き出し方向に垂直な方向の長さである。なお、ローラ４６の変形例として、水平面においてシャッタ４０の引き出し方向に垂直な方向を軸として回動可能なローラとしてもよい。
【００３９】
図８に示すように、底板３０には、上述したように底板レール３１が形成される。底板レール３１では、シャッタ４０の下端部が通過する。底板レール３１の幅は、シャッタ４０の下端部の幅よりも若干大きく形成される。
【００４０】
シャッタ４０の動作について説明する。シャッタ４０は、宅配ボックス１００が折り畳み状態のときには、本体１０の上本体レール１１と下本体レール１２とに案内されて、本体１０に収納される。一方、シャッタ４０は、宅配ボックス１００が組み立て状態のときには、天板レール２１（図７参照）と底板レール３１（図８参照）とに案内されて宅配ボックス１００の前面および両側面の前側を覆う。
【００４１】
シャッタ４０の効果について説明する。シャッタ４０によれば、本体４１を樹脂で構成することによって軽量化することができる。また、シャッタ４０を内側にのみ曲がるように構成すると共に各レールによって案内することによって、本体１０に収納される折り畳み状態から宅配ボックス１００の前面および両側面の前側を覆う組み立て状態まで、スムーズに移動することができる。
【００４２】
図９を用いて、施錠装置６０の構成について説明する。図９は、施錠装置６０の構成を示す斜視図である。
【００４３】
施錠装置６０は、シャッタ４０のシャッタ先端部４９を本体１０に施錠する装置である。施錠装置６０は、レバー６１と、ラッチ６２と、ラッチ受け部６３と、鍵穴６５と、伝票差し込み部６６と、を有する。レバー６１およびラッチ６２は、本体１０の右側板部１０Ｄに設けられる。ラッチ６２は、幅方向から見て略Ｌ字形状に形成される。ラッチ６２は、右側板部１０Ｄに収納された状態から前方に突出した状態まで回動するように構成される。
【００４４】
シャッタ４０の引き出し方向の先端側には、シャッタ先端部４９が設けられる。シャッタ先端部４９の先端面には、ラッチ受け部６３が設けられる。ラッチ受け部６３には、ピン部６３Ａが設けられる。シャッタ先端部４９の外側には、取っ手４９Ａが設けられる。
【００４５】
施錠装置６０の動作について説明する。レバー６１が上方に位置するときには、ラッチ６２は右側板部１０Ｄに収納され、施錠装置６０は解錠している状態となる。レバー６１を下方に押し下げることによって、ラッチ６２は上方に回動しラッチ受け部６３のピン部６３Ａに係合し、施錠装置６０は施錠される。一方、鍵穴６５に鍵を差し込んで解錠することによって、レバー６１が上方に移動し、施錠装置６０が解錠される。
【００４６】
図１０を用いて、シャッタ４０を施錠するときの動作について説明する。図１０は、シャッタ４０を施錠するときの動作を示す模式図である。シャッタ４０を施錠するときの動作は、図１０（ａ）から図１０（ｄ）に向かう順に移行する。
【００４７】
図１０（ａ）に示すように、宅配業者は、シャッタ先端部４９を天板レール２１（図７参照）と底板レール３１（図８参照）とに沿って引き出し、組み立て状態の宅配ボックス１００の前面および両側面の前側をシャッタ４０で覆う。図１０（ｂ）に示すように、シャッタ先端部４９が本体１０の右側板部１０Ｄに到達し、宅配ボックス１００においてシャッタ４０が閉じられる。図１０（ｃ）に示すように、宅配業者は、預けた宅配物の伝票Ｄを伝票差し込み部６６に差し込む。図１０（ｄ）に示すように、宅配業者は、伝票差し込み部６６に伝票Ｄが差し込まれた状態でレバー６１を下方に押し下げる。これにより、施錠装置６０が施錠されると共に伝票Ｄが伝票差し込み部６６に固定される。
【００４８】
図１１を用いて、宅配ボックス１００を組み立てるときの動作について説明する。図１１は、宅配ボックス１００を組み立てるときの動作を示す模式図である。宅配ボックス１００を組み立てるときの動作は、図１１（ａ）から図１１（ｅ）に向かう順で移行する。
【００４９】
図１１（ａ）に示すように、宅配ボックス１００は、宅配業者によって宅配物を預けられるまでは折り畳み状態である。図１１（ｂ）に示すように、宅配業者は、まず、天板２０を上方に開いて保持機構２５によって天板２０を略水平に保持する。図１１（ｃ）に示すように、宅配業者は、次に、底板３０を下方に開く。このとき、底板３０は、一対のアーム５０，５０によって略水平に支持される。図１１（ｄ）に示すように、宅配業者は、続いて、宅配物（図示なし）を底板３０に載置して、シャッタ４０を本体１０から引き出す。図１１（ｅ）に示すように、宅配業者は、続いて、シャッタ４０を施錠装置６０（図１０参照）によって施錠し、宅配ボックス１００を組み立て状態とする。
【００５０】
図１２を用いて、宅配ボックス１００を折り畳むときの動作について説明する。図１２は、宅配ボックス１００を折り畳むときの動作を示す模式図である。宅配ボックス１００を折り畳むときの動作は、図１２（ａ）から図１２（ｆ）に向かう順で移行する。
【００５１】
図１２（ａ）に示すように、宅配ボックス１００は、宅配業者によって宅配物を預けられてからは組み立て状態である。図１２（ｂ）に示すように、使用者は、まず、鍵穴６５に鍵を差し込んで解錠することによって、施錠装置６０を解錠する。図１２（ｃ）に示すように、使用者は、次に、シャッタ４０を本体１０に引き戻す。図１２（ｄ）に示すように、使用者は、続いて、さらにシャッタ４０を引き戻し、本体１０に収納し、宅配物（図示なし）を取り出す。図１２（ｅ）に示すように、使用者は、続いて、底板３０を折り畳む。図１２（ｆ）に示すように、使用者は、続いて、保持機構２５を解除して天板２０を折り畳み、宅配ボックス１００を折り畳み状態にする。
【００５２】
宅配ボックス１００の効果について説明する。宅配ボックス１００によれば、組み立て状態の前面および両側面の前側をシャッタ４０で構成するため軽量化を実現することができる。
【００５３】
また、宅配ボックス１００によれば、保持機構２５によって、組み立て状態では天板２０を略水平に保持することができるため、シャッタ４０をスムーズに引き出すと共に宅配ボックス１００の前面および両側面の前側を隙間なく覆うことができる。
【００５４】
また、宅配ボックス１００によれば、一対のアーム５０，５０によって、組み立て状態では底板３０を略水平に保持することができるため、シャッタ４０をスムーズに引き出すと共に宅配ボックス１００の前面および両側面の前側を隙間なく覆うことができる。さらに、宅配ボックス１００を組み立てるときには、底板３０が重力によって急に下方に開くことを防止することができる。
【００５５】
図１３を用いて、別実施形態のシャッタ１４０の構成について説明する。図１３は、シャッタ１４０の構成を示す模式図である。
【００５６】
シャッタ１４０は、両開きの構成であって、第１シャッタ１４１と、第２シャッタ１４２とを有する。第１シャッタ１４１の先端側には、施錠装置１６０が設けられる。宅配ボックス１００が組み立て状態では、宅配ボックス１００の前面の略中央部において、第２シャッタ１４２の先端側が施錠装置１６０に施錠される。別実施形態のシャッタ１４０であっても、本実施形態のシャッタ４０と同様の作用および効果を奏する。
【００５７】
また、別実施形態のシャッタ１４０によれば、実施形態のシャッタ４０と比較して、本体１０に収納された際のシャッタ１４０の円弧部が少ないため、宅配ボックスを薄型化することができる。
【符号の説明】
【００５８】
１０  本体、２０  天板、２１  天板レール（第１レール）、２５  保持機構、３０  底板、３１  底板レール（第２レール）、４０  シャッタ、５０  アーム機構（アーム）、６０  施錠装置、１００  宅配ボックス
【図１】
2020192116.tif 000003
【図２】
2020192116.tif 000004
【図３】
2020192116.tif 000005
【図４】
2020192116.tif 000006
【図５】
2020192116.tif 000007
【図６】
2020192116.tif 000008
【図７】
2020192116.tif 000009
【図８】
2020192116.tif 000010
【図９】
2020192116.tif 000011
【図１０】
2020192116.tif 000012
【図１１】
2020192116.tif 000013
【図１２】
2020192116.tif 000014
【図１３】
2020192116.tif 000015